Podtech/llm-jp-corpus-v4-ja_patent huggingface dataset:
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
遊技区間として、通常区間と有利区間とを有し、
通常区間では、ストップスイッチの有利な操作態様を報知する場合を有さず、
有利区間では、ストップスイッチの有利な操作態様を報知する場合を有し、
所定のカウンタの値が所定条件を満たすと、有利区間を終了し、
特別抽選結果となり、特別図柄組合せが停止表示した遊技の次遊技は、ボーナス遊技状態の遊技となり、
特別抽選結果となり、特別図柄組合せが停止表示しなかった遊技の次遊技は、ボーナス内部中遊技状態の遊技となり、
有利区間であり、且つ、ボーナス遊技状態である状況において、所定のカウンタの値が所定条件を満たした場合も有利区間を終了し、
有利区間であり、且つ、ボーナス内部中遊技状態である状況において、所定のカウンタの値が所定条件を満たした場合も有利区間を終了し、
有利区間を終了する際には、ＲＡＭ領域のうちアドレスが連続した所定の記憶領域に記憶されている情報を初期化する
ことを特徴とする回胴式遊技機。

【手続補正２】
【補正対象書類名】明細書
【補正対象項目名】０００５
【補正方法】変更
【補正の内容】
【０００５】
射幸性を抑えるための改善が望まれている。

【手続補正３】
【補正対象書類名】明細書
【補正対象項目名】０００６
【補正方法】変更
【補正の内容】
【０００６】
本態様に係る回胴式遊技機は、
遊技区間として、通常区間と有利区間とを有し、
通常区間では、ストップスイッチの有利な操作態様を報知する場合を有さず、
有利区間では、ストップスイッチの有利な操作態様を報知する場合を有し、
所定のカウンタの値が所定条件を満たすと、有利区間を終了し、
特別抽選結果となり、特別図柄組合せが停止表示した遊技の次遊技は、ボーナス遊技状態の遊技となり、
特別抽選結果となり、特別図柄組合せが停止表示しなかった遊技の次遊技は、ボーナス内部中遊技状態の遊技となり、
有利区間であり、且つ、ボーナス遊技状態である状況において、所定のカウンタの値が所定条件を満たした場合も有利区間を終了し、
有利区間であり、且つ、ボーナス内部中遊技状態である状況において、所定のカウンタの値が所定条件を満たした場合も有利区間を終了し、
有利区間を終了する際には、ＲＡＭ領域のうちアドレスが連続した所定の記憶領域に記憶されている情報を初期化する
ことを特徴とする回胴式遊技機である。
【手続補正４】
【補正対象書類名】明細書
【補正対象項目名】０００７
【補正方法】変更
【補正の内容】
【０００７】
本態様に係る回胴式遊技機によれば、射幸性を抑えることができる、という効果を奏する。
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
遊技領域内の受入領域への遊技媒体の受け入れを契機に取得可能な始動情報を所定数まで記憶可能な始動情報記憶手段と、
前記始動情報に基づいて、抽選を実行可能な抽選実行手段と、
前記抽選の抽選結果に基づいて、図柄の変動表示を含む演出を表示装置にて実行可能な演出実行手段と、
前記抽選の前記抽選結果が特定結果となる場合に、遊技者に有利な特定遊技状態に制御する特定遊技状態制御手段と、
前記抽選の前記抽選結果が前記特定結果となるか否かを前記変動表示の実行前に判定可能な事前判定手段と、
前記始動情報記憶手段によって記憶される前記始動情報を、当該始動情報に対応する図柄の変動表示が終了するまで始動記憶表示として個々に表示可能な始動記憶表示手段と、
前記始動情報記憶手段によって記憶される前記始動情報の数を表示可能な始動記憶数表示手段と、
前記事前判定手段による判定結果に基づいて、判定された前記始動情報の前記変動表示が実行される前に、判定された当該始動情報が前記特定結果となる期待度を示唆する事前演出を実行可能な事前演出実行手段と、
前記始動記憶表示手段により表示される複数の前記始動記憶表示のうち、少なくとも前記事前演出の対象でない前記始動記憶表示を非表示とする特定演出を実行可能な特定演出実行手段と、を備え、
前記始動記憶数表示手段は、前記特定演出実行時に前記始動記憶表示が非表示となっている間、前記始動情報記憶手段によって記憶される前記始動情報の数を表示可能であり、
前記始動記憶数表示手段によって表示される前記始動情報の数の表示は、その表示位置が変わることなく特定の表示位置にて表示される
ことを特徴とする遊技機。
【手続補正２】
【補正対象書類名】明細書
【補正対象項目名】０００２
【補正方法】変更
【補正の内容】
【０００２】
従来、始動条件の成立により、複数の図柄を変動表示させ、図柄の停止結果が所定の態様となった場合に所定の遊技価値を付与する遊技機が知られている。このような遊技機では、先行する図柄の変動表示中に成立した始動条件を所定数まで保留可能にし、保留状態を画像表示することで遊技者が当該保留状態を把握しやすいように構成している（例えば、特許文献１参照）。
【手続補正３】
【補正対象書類名】明細書
【補正対象項目名】０００３
【補正方法】変更
【補正の内容】
【０００３】
【特許文献１】特開２０１４−０９７２９２号公報
【手続補正４】
【補正対象書類名】明細書
【補正対象項目名】０００４
【補正方法】変更
【補正の内容】
【０００４】
上記した遊技機の中には、保留状態を示す画像表示において、保留中の始動条件に対応する図柄の停止結果が所定の態様となる期待度を事前に報知する演出（先読み演出）を実行するものがあるが、画一化されつつある演出に遊技者の関心が薄れ、遊技興趣の低下が懸念される。
【手続補正５】
【補正対象書類名】明細書
【補正対象項目名】０００６
【補正方法】変更
【補正の内容】
【０００６】
本発明の代表的な遊技機の一形態では、遊技領域内の受入領域への遊技媒体の受け入れを契機に取得可能な始動情報を所定数まで記憶可能な始動情報記憶手段と、前記始動情報に基づいて、抽選を実行可能な抽選実行手段と、前記抽選の抽選結果に基づいて、図柄の変動表示を含む演出を表示装置にて実行可能な演出実行手段と、前記抽選の前記抽選結果が特定結果となる場合に、遊技者に有利な特定遊技状態に制御する特定遊技状態制御手段と、前記抽選の前記抽選結果が前記特定結果となるか否かを前記変動表示の実行前に判定可能な事前判定手段と、前記始動情報記憶手段によって記憶される前記始動情報を、当該始動情報に対応する図柄の変動表示が終了するまで始動記憶表示として個々に表示可能な始動記憶表示手段と、前記始動情報記憶手段によって記憶される前記始動情報の数を表示可能な始動記憶数表示手段と、前記事前判定手段による判定結果に基づいて、判定された前記始動情報の前記変動表示が実行される前に、判定された当該始動情報が前記特定結果となる期待度を示唆する事前演出を実行可能な事前演出実行手段と、前記始動記憶表示手段により表示される複数の前記始動記憶表示のうち、少なくとも前記事前演出の対象でない前記始動記憶表示を非表示とする特定演出を実行可能な特定演出実行手段と、を備え、前記始動記憶数表示手段は、前記特定演出実行時に前記始動記憶表示が非表示となっている間、前記始動情報記憶手段によって記憶される前記始動情報の数を表示可能であり、前記始動記憶数表示手段によって表示される前記始動情報の数の表示は、その表示位置が変わることなく特定の表示位置にて表示されることを特徴とする。

【手続補正６】
【補正対象書類名】明細書
【補正対象項目名】０００７
【補正方法】削除
【補正の内容】
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
流出血液を収集し洗浄するシステムを操作する方法であって：
注入ポート、排出ポート、および真空吸気ポートを有する第一の血液回収リザーバを提供し；
真空接続ポートおよび真空排気ポートを有する血液回収システムを提供し、第一の血液回収リザーバ上の真空吸気ポートは血液回収システム上の真空排気ポートに流体接続され；
血液回収システム上の真空接続ポートを真空源に流体接続し；
第一の血液回収リザーバおよび血液回収システムを真空に引いて、血液を血液回収リザーバ内へと採取するよう真空源を操作し；
ある容積の流出血液を第一の血液回収リザーバ内に収集し；
第一の血液回収リザーバを血液回収システムから切り離し；
第二の血液回収リザーバを血液回収システムに流体接続し、血液を第二の血液回収リザーバへと採取し、第一の血液回収リザーバが血液回収システムに接続されている場合、第二の血液回収リザーバは血液回収システムに接続されておらず；
第一の血液回収リザーバの流出ポートを自動血液処理システムに流体接続し；
収集された血液を自動血液処理システム内へと導入し；
自動血液処理システムへと導入された血液を洗浄するよう自動血液処理システムを使用し；および
洗浄された血液の少なくとも一部をラインに送るようポンプを操作することを含む方法。
【請求項２】
自動血液処理システム内に導入された血液を洗浄するよう自動血液処理システムを使用することが：
抗凝固剤を収集された血液に導入するようポンプを操作し；
抗凝固処理された血液を血液成分分離装置に導入するようポンプを操作し、血液成分分離装置が抗凝固処理された血液を赤血球および少なくとも第二の血液成分に分離し；
少なくとも第二の血液成分を廃棄物容器に送出し；および
洗浄液を血液成分分離装置内に導入するようポンプを操作して赤血球を洗浄することを含む、請求項１による方法。
【請求項３】
洗浄された血液の少なくとも一部をラインに送ることが、洗浄された赤血球をラインに送ることを含む、請求項２による方法。
【請求項４】
第一の血液回収リザーバが可撓性リザーバである、請求項１による方法。
【請求項５】
血液回収システムが剛性ハウジングを含む、請求項１による方法。
【請求項６】
第一の血液回収リザーバ内に採取された血液の量を監視することをさらに含む、請求項１による方法。
【請求項７】
第一の血液回収リザーバを血液回収システムから切り離すことが、第一の血液回収リザーバ内に所定容積の血液が採取された時点で第一の血液回収リザーバを切り離すことを含む、請求項１による方法。
【請求項８】
血液の所定容積が１００ｍＬから５００ｍＬの間である、請求項７による方法。
【請求項９】
第一の血液回収リザーバの流出ポートが自動血液処理システムへと、流体接続セットを介して流体接続される、請求項１による方法。
【請求項１０】
流体接続セットが：
第一の血液回収リザーバの流出ポートに接続されるよう構成された第一のコネクタ；
自動血液処理システム上の流入口に接続されるよう構成された第二のコネクタ；および
第一のコネクタと第二のコネクタの間に延び、第一の血液回収リザーバと自動血液処理システムを流体接続するように構成されたチューブを含む、請求項９による方法。
【請求項１１】
第一のコネクタがスパイクである、請求項１０による方法。
【請求項１２】
流体接続セットがチューブ上に配置され、チューブを通る流体の流れを阻止するように構成された少なくとも一つのバルブを含む、請求項１０による方法。
【請求項１３】
第一の血液回収リザーバが、第一の血液回収リザーバを支持するように構成された剛性フレーム内に収容されている、請求項１による方法。
【請求項１４】
流出血液を収集し洗浄するシステムを操作する方法であって：
注入ポート、排出ポート、および真空吸気ポートを有する第一の血液回収リザーバを提供し；
真空接続ポートおよび真空排気ポートを有する血液回収システムを提供し；
第一の血液回収リザーバ上の真空吸気ポートを血液回収システム上の真空排気ポートに流体接続し；
血液回収システム上の真空接続ポートを真空源に流体接続し；
第一の血液回収リザーバおよび血液回収システムを真空に引いて、血液を血液回収リザーバ内へと採取するよう真空源を操作し；
ある容積の流出血液を第一の血液回収リザーバ内に収集し；
第一の血液回収リザーバを血液回収システムから切り離し；
第二の血液回収リザーバを血液回収システムに流体接続し、継続的に第二の血液回収リザーバへと血液採取を行い、第一の血液回収リザーバが血液回収システムに接続されている場合、第二の血液回収リザーバは血液回収システムに接続されておらず；
第一の血液回収リザーバの流出ポートを自動血液処理システムに流体接続し；
収集された血液を自動血液処理システムに導入し；
自動血液処理システム内へと導入された血液を洗浄するよう自動血液処理システムを操作し；および
洗浄された血液の少なくとも一部をラインに送ることを含む、方法。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
遊技盤の正面に形成された遊技領域に向かって遊技球を発射する発射手段と、前記遊技領域を流下する遊技球を入球させる複数の入球領域とを備える遊技機であって、
前記遊技機は、
略水平方向一方側に開口するようにして設けられた第１の入球領域と、
略水平方向他方側に開口するようにして設けられた第２の入球領域と、
前記第１の入球領域に遊技球を入球させ得る第１の入球可能状態と、前記第２の入球領域に遊技球を入球させ得る第２の入球可能状態と、前記第１の入球領域および前記第２の入球領域のいずれにも遊技球を入球させない入球不能状態と、に入球状態を切り替え可能であり、前記第１の入球領域および前記第２の入球領域の間に遊技球を前記第１の入球領域又は前記第２の入球領域のいずれかに誘導し得る誘導部を設けた入球発生手段を備えることを特徴とする遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり状態へと移行するものがある。かかる遊技機の中には、例えば、ラウンド数の異なる複数種類の当たり種別を設けることにより、興趣向上を図っているものも存在する。
【手続補正３】
【補正対象書類名】明細書
【補正対象項目名】０００６
【補正方法】変更
【補正の内容】
【０００６】
この目的を達成するために請求項１記載の遊技機は、遊技盤の正面に形成された遊技領域に向かって遊技球を発射する発射手段と、前記遊技領域を流下する遊技球を入球させる複数の入球領域とを備え、前記遊技機は、略水平方向一方側に開口するようにして設けられた第１の入球領域と、略水平方向他方側に開口するようにして設けられた第２の入球領域と、前記第１の入球領域に遊技球を入球させ得る第１の入球可能状態と、前記第２の入球領域に遊技球を入球させ得る第２の入球可能状態と、前記第１の入球領域および前記第２の入球領域のいずれにも遊技球を入球させない入球不能状態と、に入球状態を切り替え可能であり、前記第１の入球領域および前記第２の入球領域の間に遊技球を前記第１の入球領域又は前記第２の入球領域のいずれかに誘導し得る誘導部を設けた入球発生手段を備える。
【手続補正４】
【補正対象書類名】明細書
【補正対象項目名】００１１
【補正方法】変更
【補正の内容】
【００１１】
請求項１記載の遊技機によれば、遊技盤の正面に形成された遊技領域に向かって遊技球を発射する発射手段と、前記遊技領域を流下する遊技球を入球させる複数の入球領域とを備え、前記遊技機は、略水平方向一方側に開口するようにして設けられた第１の入球領域と、略水平方向他方側に開口するようにして設けられた第２の入球領域と、前記第１の入球領域に遊技球を入球させ得る第１の入球可能状態と、前記第２の入球領域に遊技球を入球させ得る第２の入球可能状態と、前記第１の入球領域および前記第２の入球領域のいずれにも遊技球を入球させない入球不能状態と、に入球状態を切り替え可能であり、前記第１の入球領域および前記第２の入球領域の間に遊技球を前記第１の入球領域又は前記第２の入球領域のいずれかに誘導し得る誘導部を設けた入球発生手段を備える。
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
当りに関する抽選を行う抽選手段と、
遊技者が操作可能な操作手段と、
前記操作手段が操作されると前記抽選の結果が示唆される結果示唆手段と、
動作可能な可動体と、
前記抽選手段による抽選の結果が示されて所定条件を満たした場合には、遊技者にとって有利な有利遊技状態が開始される有利遊技状態制御手段と、を備えた遊技機であって、
前記抽選手段による抽選によって前記有利遊技状態に制御することが決定されたゲームが終了して前記所定条件を満たした場合には前記有利遊技状態に必ず制御するようになされており、
前記抽選手段による抽選の結果が示されるよりも前のタイミングで前記有利遊技状態に制御されることを認識可能にし、
前記有利遊技状態に制御されることが認識可能にされているなかで前記操作手段に対しての操作指示表示が前記抽選手段による抽選によって前記有利遊技状態に制御することが決定されたゲームの途中で表示されることを可能とし、
前記有利遊技状態に制御されることを報知する報知演出を実行可能とし、
前記有利遊技状態に制御されることを報知する前記報知演出は、
前記抽選手段による抽選の結果が示されるよりも前のタイミングで前記有利遊技状態に制御されることを認識可能にしているものの、当該タイミングでは前記報知演出を実行せず、前記抽選手段による抽選によって前記有利遊技状態に制御することが決定されたゲームの抽選の結果が示されてから当該ゲームの次のゲームが開始するよりも前に必ず実行される演出であり、
前記抽選手段による抽選によって前記有利遊技状態に制御することが決定されたゲームでは、当該ゲームの途中で表示される前記操作指示表示が表示されるよりも前に装飾図柄によってリーチ態様を遊技者に示すことを可能とし、該リーチ態様は、当該ゲームの途中で表示される前記操作指示表示が表示されたあとも継続して表示され、
前記抽選手段による抽選によって前記有利遊技状態に制御することが決定されたゲームが開始されたときに前記可動体を動作させることを可能とする
ことを特徴とする遊技機。
【手続補正２】
【補正対象書類名】明細書
【補正対象項目名】０００６
【補正方法】変更
【補正の内容】
【０００６】
しかしながら、遊技の単調さを抑制する演出の工夫にはまだまだ改善の余地がある。
【手続補正３】
【補正対象書類名】明細書
【補正対象項目名】０００８
【補正方法】変更
【補正の内容】
【０００８】
当りに関する抽選を行う抽選手段と、遊技者が操作可能な操作手段と、前記操作手段が操作されると前記抽選の結果が示唆される結果示唆手段と、動作可能な可動体と、前記抽選手段による抽選の結果が示されて所定条件を満たした場合には、遊技者にとって有利な有利遊技状態が開始される有利遊技状態制御手段と、を備えた遊技機であって、前記抽選手段による抽選によって前記有利遊技状態に制御することが決定されたゲームが終了して前記所定条件を満たした場合には前記有利遊技状態に必ず制御するようになされており、前記抽選手段による抽選の結果が示されるよりも前のタイミングで前記有利遊技状態に制御されることを認識可能にし、前記有利遊技状態に制御されることが認識可能にされているなかで前記操作手段に対しての操作指示表示が前記抽選手段による抽選によって前記有利遊技状態に制御することが決定されたゲームの途中で表示されることを可能とし、前記有利遊技状態に制御されることを報知する報知演出を実行可能とし、前記有利遊技状態に制御されることを報知する前記報知演出は、前記抽選手段による抽選の結果が示されるよりも前のタイミングで前記有利遊技状態に制御されることを認識可能にしているものの、当該タイミングでは前記報知演出を実行せず、前記抽選手段による抽選によって前記有利遊技状態に制御することが決定されたゲームの抽選の結果が示されてから当該ゲームの次のゲームが開始するよりも前に必ず実行される演出であり、前記抽選手段による抽選によって前記有利遊技状態に制御することが決定されたゲームでは、当該ゲームの途中で表示される前記操作指示表示が表示されるよりも前に装飾図柄によってリーチ態様を遊技者に示すことを可能とし、該リーチ態様は、当該ゲームの途中で表示される前記操作指示表示が表示されたあとも継続して表示され、前記抽選手段による抽選によって前記有利遊技状態に制御することが決定されたゲームが開始されたときに前記可動体を動作させることを可能とすることを特徴とする。
【手続補正４】
【補正対象書類名】明細書
【補正対象項目名】０００９
【補正方法】変更
【補正の内容】
【０００９】
本発明によれば、遊技の単調さを抑制しつつ、興趣の低下を抑制することができる。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
前記有利状態に制御されることを予告表示により予告する予告手段と、
前記予告表示の表示態様を第１態様にて表示することが可能な第１態様表示手段と、
前記第１態様の前記予告表示を、第２態様へと変化させることが可能な第２態様変化手段と、
前記第１態様から前記第２態様へと変化することを示唆する示唆演出を複数の開始タイミングで実行可能な示唆演出実行手段と、を備え、
を備え、
前記予告表示は、
前記第１態様にて第１期間表示された場合よりも、前記第１態様にて前記第１期間よりも長い第２期間表示された場合の方が前記有利状態に制御される期待度が高く、
前記第１態様にて表示されているときに、継続して第１動作をする態様にて表示され、
前記示唆演出が実行されるときに、表示態様が前記第１態様から前記第２態様へと変化し、再度前記第１態様へと変化した後に前記第２態様へと変化する場合があり、
前記第２態様にて表示されているときに、前記第１動作とは異なる第２動作をする態様にて表示され、
前記予告表示とは異なり前記予告表示が前記第２態様へと変化した後に再度前記第１態様にて表示されたことを示唆可能な数値表示を実行可能な数値表示実行手段をさらに備える、
ことを特徴とする遊技機。
【手続補正２】
【補正対象書類名】明細書
【補正対象項目名】０００６
【補正方法】変更
【補正の内容】
【０００６】
（１）  上記目的を達成するため、本願発明に係る遊技機は、
可変表示を実行し、遊技者にとって有利な有利状態に制御可能な遊技機であって、
前記有利状態に制御されることを予告表示により予告する予告手段と、
前記予告表示の表示態様を第１態様にて表示することが可能な第１態様表示手段と、
前記第１態様の前記予告表示を、第２態様へと変化させることが可能な第２態様変化手段と、
前記第１態様から前記第２態様へと変化することを示唆する示唆演出を複数の開始タイミングで実行可能な示唆演出実行手段と、を備え、
前記予告表示は、
前記第１態様にて第１期間表示された場合よりも、前記第１態様にて前記第１期間よりも長い第２期間表示された場合の方が前記有利状態に制御される期待度が高く、
前記第１態様にて表示されているときに、継続して第１動作をする態様にて表示され、
前記示唆演出が実行されるときに、表示態様が前記第１態様から前記第２態様へと変化し、再度前記第１態様へと変化した後に前記第２態様へと変化する場合があり、
前記第２態様にて表示されているときに、前記第１動作とは異なる第２動作をする態様にて表示され、
前記予告表示とは異なり前記予告表示が前記第２態様へと変化した後に再度前記第１態様にて表示されたことを示唆可能な数値表示を実行可能な数値表示実行手段をさらに備える、
ことを特徴とする。
（Ａ） 他の遊技機は、
遊技者にとって有利な有利状態（大当り遊技状態等）に制御可能な遊技機（パチンコ遊技機１等）であって、
前記有利状態に制御されることを予告表示（アクティブ表示１８３Ｆ００１等）により予告する予告手段（演出制御用ＣＰＵ１２０等）と、
前記予告表示の表示態様を特殊態様（特殊表示１８３Ｆ００２等）にて表示することが可能な特殊態様表示手段（演出制御用ＣＰＵ１２０等）と、
前記予告表示の表示態様を前記特殊態様にて表示した後に、特別態様（特別表示１８３Ｆ００５等）へと変化させることが可能な特別態様変化手段（演出制御用ＣＰＵ１２０等）とを備え、
前記予告表示は、前記特殊態様を第１期間維持した場合よりも前記特殊態様を前記第１期間よりも長い第２期間維持した場合の方が前記有利状態に制御される期待度が高く設定され（図２０に示すように、示唆演出１回目で特別表示１８３Ｆ００５となるよりも示唆演出３回目で特別表示１８３Ｆ００５となる方が期待度が高い態様となる等）、
前記特殊態様から前記特別態様へと変化することを示唆する示唆演出を複数のタイミングで実行可能な示唆演出実行手段（図２０（ｃ），（ｆ），（ｇ）に示すように、演出制御用ＣＰＵ１２０が、示唆演出を複数のタイミングで実行する等）をさらに備える。
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
遊技機から排出される遊技媒体の数を、当該遊技機に設けられた媒体検知手段を用いて計測し、その計測結果を排出情報記憶手段に記憶させる排出計測手段と、
当該排出計測手段への電力の供給が停止されている状況であっても前記排出情報記憶手段に電力を供給し、当該排出情報記憶手段において情報の記憶保持を可能とさせる電断中電力供給手段と、
前記排出情報記憶手段に記憶されている排出数情報に対応した遊技媒体の数が、２以上の数である排出規定数以上となった場合に、排出認識信号を出力継続期間に亘って遊技機の外部に出力可能とする出力手段と、
前記排出認識信号を前記出力継続期間に亘って遊技機の外部に出力した後に、前記排出認識信号の出力を規制継続期間に亘って規制する規制手段と、
を備え、
前記規制継続期間は、前記排出情報記憶手段に記憶されている前記排出数情報に対応した遊技媒体の数が「０」から前記排出規定数以上となるまでに要する期間よりも短い期間に設定されていることを特徴とする遊技機。
【請求項２】
パチンコ機であることを特徴とする請求項１に記載の遊技機。
【手続補正２】
【補正対象書類名】明細書
【補正対象項目名】０００７
【補正方法】変更
【補正の内容】
【０００７】
上記課題を解決すべく請求項１記載の発明は、遊技機から排出される遊技媒体の数を、当該遊技機に設けられた媒体検知手段を用いて計測し、その計測結果を排出情報記憶手段に記憶させる排出計測手段と、
当該排出計測手段への電力の供給が停止されている状況であっても前記排出情報記憶手段に電力を供給し、当該排出情報記憶手段において情報の記憶保持を可能とさせる電断中電力供給手段と、
前記排出情報記憶手段に記憶されている排出数情報に対応した遊技媒体の数が、２以上の数である排出規定数以上となった場合に、排出認識信号を出力継続期間に亘って遊技機の外部に出力可能とする出力手段と、
前記排出認識信号を前記出力継続期間に亘って遊技機の外部に出力した後に、前記排出認識信号の出力を規制継続期間に亘って規制する規制手段と、
を備え、
前記規制継続期間は、前記排出情報記憶手段に記憶されている前記排出数情報に対応した遊技媒体の数が「０」から前記排出規定数以上となるまでに要する期間よりも短い期間に設定されていることを特徴とする。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
基板の複数のスルーホールに複数のリード端子をそれぞれ差し込むことで実装される基板挿入型リードタイプの半導体装置であって、
半導体素子および配線を含む通電制御部と、
前記通電制御部を覆う封止樹脂と、
一端側が前記通電制御部と接続され、かつ、他端側が前記封止樹脂から突出する複数の前記リード端子と、を備え、
各前記リード端子は、前記封止樹脂から突出する前記他端側の一部に形成される突起部を有する、半導体装置。
【請求項２】
前記リード端子および前記突起部における、前記基板の前記スルーホールの内部およびその周辺に位置する部分に、複数の切り込み、前記リード端子の長手方向に延びる複数の溝、または複数の凹凸が形成される、請求項１に記載の半導体装置。
【請求項３】
前記突起部の正面視形状は、前記通電制御部から離れる方向に向かって細くなるテーパー形状であり、
前記リード端子の側面に対する前記テーパー形状の傾斜角度は４５度未満である、請求項１または請求項２に記載の半導体装置。
【請求項４】
請求項１から請求項３のいずれか１項に記載の半導体装置を製造する製造方法であって、
（ａ）複数のリードと、複数の前記リードの前記他端側を接続するフレーム枠と、複数の前記リードおよび前記フレーム枠を囲む外枠とを有するリードフレームを配置する工程と、
（ｂ）複数の前記リードの前記一端側に前記通電制御部を形成する工程と、
（ｃ）前記通電制御部を前記封止樹脂で封止する工程と、
（ｄ）プレス加工により前記フレーム枠を加工して前記突起部を形成する工程と、
（ｅ）プレス加工により前記外枠を切断して複数の前記リード端子を形成する工程と、
を備える、半導体装置の製造方法。
【請求項５】
（ｆ）前記リード端子および前記突起部における、前記基板の前記スルーホールの内部およびその周辺に位置する部分に、プレス加工により複数の溝、または、ビーズブラストまたはサンドブラストにより複数の凹凸を形成する工程をさらに備える、請求項４に記載の半導体装置の製造方法。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
屈曲可能部分を横断して画像を表示し、スタイラスを用いて入力を受信し、ユーザタッチから入力を受信することが可能である可撓性画像表示装置であって、前記可撓性画像表示装置は、
２つの平面部分および屈曲可能部分を含む可撓性電気光学ディスプレイであって、前記屈曲可能部分は、可撓性であり、画像を表示することが可能である、可撓性電気光学ディスプレイと、
２つの平面支持部材であって、各平面支持部材は、長方形であり、かつ、固定領域および非固定領域を備え、前記固定領域は、前記可撓性電気光学ディスプレイの前記平面部分のうちの１つに結合され、それを支持し、前記非固定領域は、前記可撓性電気光学ディスプレイに結合されない、２つの平面支持部材と、
前記可撓性電気光学ディスプレイによって画定された中心線と平行な２つの別個の回転軸を備える屈曲機構であって、前記２つの回転軸のそれぞれは、前記可撓性電気光学ディスプレイによって画定された前記中心線から離れるように設定され、前記回転軸のそれぞれは、平面支持部材の枢動を画定する、屈曲機構と、
前記可撓性電気光学ディスプレイと前記平面支持部材との間に配置されている、スタイラスの位置を検出するためのデジタル化層と、
前記可撓性電気光学ディスプレイの平面部分の表面と略平行な方向に光を放出し、タッチする物体から反射される光を検出するように構成されている、タッチセンサユニットと
を備える、可撓性画像表示装置。
【請求項２】
前記可撓性電気光学ディスプレイの一部は、前記固定領域内の前記平面支持部材に接合されている、請求項１に記載の可撓性画像表示装置。
【請求項３】
前記可撓性電気光学ディスプレイの一部は、支持部材に対して自由に摺動するように構成されている、請求項１に記載の可撓性画像表示装置。
【請求項４】
前記可撓性電気光学ディスプレイは、電気泳動媒体を備える、請求項１に記載の可撓性画像表示装置。
【請求項５】
前記電気泳動媒体は、カプセル化されている、請求項４に記載の可撓性画像表示装置。
【請求項６】
前記電気泳動媒体は、複数のマイクロセル内に分散されている、請求項４に記載の可撓性画像表示装置。
【請求項７】
前記２つの別個の回転軸のそれぞれは、各回転軸の端部に結合された回転歯車を含み、前記屈曲機構はさらに、前記回転歯車の回転を同期させるための回転同期装置を備える、請求項１に記載の可撓性画像表示装置。
【請求項８】
前記回転同期装置は、２つの別個の同期歯車を備え、前記同期歯車のそれぞれは、他の同期歯車と、回転軸に結合された前記回転歯車のうちの１つとに係合されている、請求項７に記載の可撓性画像表示装置。
【請求項９】
前記屈曲機構はさらに、その個別の回転軸を中心とした前記２つの平面支持部材の前記非固定領域の回転によって掃引される体積を超える空体積を備える、請求項１に記載の可撓性画像表示装置。
【請求項１０】
前記屈曲可能部分の後方撓曲を防止するように構成された補助支持構造をさらに備える、請求項１に記載の可撓性画像表示装置。
【請求項１１】
前記可撓性電気光学ディスプレイは、ピクセルのアレイを含む可撓性バックプレーンを備える、請求項１に記載の可撓性画像表示装置。
【請求項１２】
前記可撓性バックプレーンは、前記バックプレーンを横断して２．５ｃｍの線形距離毎に、少なくとも１００ピクセルを含む、請求項１１に記載の可撓性画像表示装置。
【請求項１３】
前記デジタル化層は、電磁共鳴（ＥＭＲ）デジタル化層である、請求項１に記載の可撓性画像表示装置。
【請求項１４】
前記デジタル化層は、それが前記可撓性電気光学ディスプレイと共に折畳することを可能にするように、前記可撓性電気光学ディスプレイに継合されている、請求項１に記載の可撓性画像表示装置。
【請求項１５】
前記可撓性電気光学ディスプレイの平面部分の表面と略平行な方向に光を放出し、タッチする物体から反射される光を検出するように構成されている、第２のタッチセンサユニットをさらに備える、請求項１に記載の可撓性画像表示装置。
【請求項１６】
前記タッチセンサユニットおよび前記第２のタッチセンサユニットは、異なる周波数の光を放出する、請求項１５に記載の可撓性画像表示装置。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
複数のコンデンサ素子であって、それぞれが焼結多孔質アノード体、前記アノード体を覆う誘電体層、および前記誘電体層を覆う固体電解質を含み、それぞれのコンデンサ素子からアノードリードが伸長している、複数のコンデンサ素子と、
蓋およびベースを含む金属の円筒状ハウジングであって、前記蓋がｘ方向の直径を有し、前記金属の円筒状ハウジングがｚ方向の高さを有し、直径対高さの比が約１．５〜約２０の範囲であり、前記金属の円筒状ハウジングが密閉シールされており、前記複数のコンデンサ素子が内部でｚ方向に沿って延びる中心軸の周囲に配列された内部キャビティを画定している、金属の円筒状ハウジングと
を含み、前記内部キャビティが不活性ガスを含むガス雰囲気を有し、カプセル化材料が少なくとも部分的に前記複数のコンデンサ素子をカプセル化しているか、前記蓋の少なくとも内表面に配置されているか、またはその組み合わせである、コンデンサアセンブリ。
【請求項２】
前記コンデンサ素子が前記中心軸の周囲にラジアル構成で配列されている、請求項１に記載のコンデンサアセンブリ。
【請求項３】
第１のコンデンサ素子と第２のコンデンサ素子の複数の対が前記中心軸の周囲に配列されている、請求項１または２に記載のコンデンサアセンブリ。
【請求項４】
前記第１のコンデンサ素子が第１のアノードリードを有し、前記第２のコンデンサ素子が第２のアノードリードを有し、前記対における前記第１のアノードリードと前記第２のアノードリードが導電部材を介して接続されている、請求項３に記載のコンデンサアセンブリ。
【請求項５】
前記アノードリードが接続ワイヤに結合している、請求項１から４までのいずれか１項に記載のコンデンサアセンブリ。
【請求項６】
前記アノードリードがはんだ付けによって前記接続ワイヤに結合している、請求項５に記載のコンデンサアセンブリ。
【請求項７】
前記接続ワイヤがアノード終端部に結合している、請求項５に記載のコンデンサアセンブリ。
【請求項８】
前記アノード終端部が前記ベースを通って伸長し、さらに絶縁材料が前記ベースと前記アノード終端部との間に配置されている、請求項７に記載のコンデンサアセンブリ。
【請求項９】
前記固体電解質が前記ベースに接続されている、請求項１から８までのいずれか１項に記載のコンデンサアセンブリ。
【請求項１０】
前記固体電解質が導電性接着剤によって前記ベースに接続されている、請求項９に記載のコンデンサアセンブリ。
【請求項１１】
前記コンデンサアセンブリが２〜約５０個のコンデンサ素子を含む、請求項１から１０までのいずれか１項に記載のコンデンサアセンブリ。
【請求項１２】
前記ハウジングのｚ方向の高さが約３ｍｍ〜約３０ｍｍの範囲である、請求項１から１１までのいずれか１項に記載のコンデンサアセンブリ。
【請求項１３】
前記アノード体がタンタル、ニオブ、またはそれらの導電性酸化物を含む粉末から形成されている、請求項１から１２までのいずれか１項に記載のコンデンサアセンブリ。
【請求項１４】
前記固体電解質が導電性ポリマーまたは二酸化マンガンを含む、請求項１から１３までのいずれか１項に記載のコンデンサアセンブリ。
【請求項１５】
約１０アンペア以上の最大リップル電流を有する、請求項１から１４までのいずれか１項に記載のコンデンサアセンブリ。
【請求項１６】
約２０ｍΩ未満の等価直列抵抗を有する、請求項１から１５までのいずれか１項に記載のコンデンサアセンブリ。
【請求項１７】
前記カプセル化材料が熱伝導性であり、さらに前記カプセル化材料が約１Ｗ／ｍ・Ｋ以上の熱伝導率を有する、請求項１に記載のコンデンサアセンブリ。
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
生産管理JOBに基づいて基板に電子部品を実装する実装機と、この部品を吸着して、実装するためのノズルを複数保管し、実装機にノズルを供給するトレイにノズルを移載するノズル管理機とを統括的に制御するホストＰＣにおいて、
トレイ移載が終了していない生産管理JOB情報を選択し、
その生産管理JOBに含まれるトレイ情報およびそのJOBに使用されるノズル情報を前記ノズル管理機に送信し、
前記ノズル管理機からその生産管理JOBについて、ノズルのトレイへの移載が終了した情報を受信したときは、その生産管理JOBについてトレイ移載が終了したと変更するホストＰＣ。
【請求項２】
実装機において用いられる吸着ノズルの移載を行うノズル移載装置を備えたノズル管理機と通信を行うホストＰＣであって、
前記実装機において行われる前記装着作業に関する情報である複数の作業情報を記憶する作業情報記憶部を備え、
前記作業情報は前記装着作業で用いられる吸着ノズルに関するノズル情報と、前記吸着ノズルを載せるノズル載置器情報を有するものであり、
前記複数の前記作業情報のうちの一の前記作業情報に含まれる前記ノズル載置器情報が１つである場合には、前記一の作業情報に含まれる１つの前記ノズル載置器情報に係る前記ノズル載置器について、前記ノズル移載装置による前記吸着ノズルの移載が終了した場合に、前記一の作業情報に係る前記吸着ノズルの移載が終了したことを前記ホストＰＣが前記ノズル管理機から受信するものであり、
前記一の作業情報について前記吸着ノズルの移載が終了した場合には、前記一の作業情報について前記吸着ノズルの移載が終了したことを前記ノズル管理機から受信し、少なくとも前記一の作業情報に係る装着作業名と対応付けて記憶するホストＰＣ。
【請求項３】
実装機において用いられる吸着ノズルの移載を行うノズル移載装置を備えたノズル管理機と通信を行うホストＰＣであって、
前記実装機において行われる前記装着作業に関する情報である複数の作業情報を記憶する作業情報記憶部を備え、
前記作業情報は前記装着作業で用いられる吸着ノズルに関するノズル情報と、前記吸着ノズルを載せるノズル載置器情報を有するものであり、
前記複数の前記作業情報のうちの一の前記作業情報に含まれる前記ノズル載置器情報が１つである場合には、前記一の作業情報に含まれる１つの前記ノズル載置器情報に係る前記ノズル載置器について、前記ノズル移載装置による前記吸着ノズルの移載が終了した場合に、前記一の作業情報に係る前記吸着ノズルの移載が終了したことを前記ホストＰＣが前記ノズル管理機から受信し、前記一の作業情報に含まれる前記ノズル載置器情報が複数である場合には、前記一の作業情報に係る複数の前記ノズル載置器情報の各々に係る複数の前記ノズル載置器のすべてについて前記ノズル移載装置による前記吸着ノズルの移載が終了した場合に、前記一の作業情報に係る前記吸着ノズルの移載が終了したことを受信するものであり、
前記一の作業情報について前記吸着ノズルの移載が終了した場合には、前記一の作業情報について前記吸着ノズルの移載が終了したことを前記ノズル管理機から受信し、少なくとも前記一の作業情報に係る装着作業名と対応付けて記憶するホストＰＣ。
【手続補正書】
【提出日】令和3年5月12日(2021.5.12)
【手続補正１】
【補正対象書類名】明細書
【補正対象項目名】００３１
【補正方法】変更
【補正の内容】
【００３１】
実施の形態１の発明によれば、大きい発熱量を有する第１の半導体素子１０１により発せられる熱が、モールド樹脂１０９の熱伝導率より高い熱伝導率を有する絶縁シート１１０を経由してモールド樹脂１０９の外部に良好に放たれる。このため、高い放熱性を有する半導体装置１を提供することができる。
【手続補正２】
【補正対象書類名】明細書
【補正対象項目名】００５４
【補正方法】変更
【補正の内容】
【００５４】
実施の形態５の発明によれば、実施の形態１の発明と同様に、高い放熱性を有する半導体装置５を提供することができ、高い絶縁性を有する半導体装置５を提供することができる。特に内部に搭載される第１の半導体素子数が多くなる場合に、図５に示すように絶縁シートを分割することと合わせて、半導体装置５のコストを低減することができる。
【手続補正３】
【補正対象書類名】明細書
【補正対象項目名】００５５
【補正方法】変更
【補正の内容】
【００５５】
また、実施の形態５の発明によれば、実施の形態３〜４の発明と同様に、モールド樹脂１０９にボイド、未充填部等が形成されることを抑制することができる。
【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
複数のユーザの情報を提供するためにコンピュータで実行される方法であって、
登録された複数のユーザに複数の会議室の予約の管理を含むサービスを提供する外部サービスサーバに、前記ユーザが受けるサービスに関連する情報を含む外部情報の要求を送信するステップと、
前記外部情報の要求に基づいて、前記外部サービスサーバから、当該ユーザが受けるサービスに関連する情報を受信するステップと、
各前記ユーザの識別情報および座席情報を管理するユーザ情報管理サーバに、前記ユーザの前記識別情報および座席情報を含む内部情報の要求を送信するステップと、
前記内部情報の要求に基づいて、前記ユーザ情報管理サーバから、前記ユーザの前記識別情報および前記座席情報を受信するステップと、
前記ユーザの前記識別情報と、前記座席情報と、前記サービスに関連する情報とを、前記複数のユーザの配置と複数の会議室の配置とを表わすマップ情報に関連付けるステップと、
前記ユーザの前記識別情報と前記座席情報と前記サービスに関連する情報とが関連付けられた前記マップ情報を前記ユーザのユーザ端末に送信するステップと、
前記ユーザ端末から前記複数の会議室のうちの第１会議室が選択されたことを示す情報を受信するステップと、
前記第１会議室の予約状況を含むスケジュール画面を前記ユーザ端末に表示させるステップと、
を含む、方法。
【請求項２】
前記外部サービスサーバにログインしたユーザの端末装置又は前記外部サービスサーバのサービスにアクセス可能な情報処理端末に、会議室予約の入力画面を提供するステップと、
前記ユーザの端末装置又は前記情報処理端末から前記会議室の予約に関するデータが入力された場合に、前記データに基づき、前記外部サービスサーバにおける前記会議室の予約状況を更新するステップと、
をさらに含む請求項１に記載の方法。
【請求項３】
前記会議室の予約状況を更新するステップは、前記複数の会議室の予約状況を含むテーブルを更新することを含む
請求項１に記載の方法。
【請求項４】
前記スケジュール画面は、予約時間及び会議への参加者の情報を含む
請求項１〜３のいずれか一項に記載の方法。
【請求項５】
前記サービスに関連する情報は、各前記ユーザのスケジュール情報、電子メール、当該ユーザによって作成された文書データのいずれかを含む、請求項１〜４のいずれか一項に記載の方法。
【請求項６】
ユーザの識別情報の受信に応答して、当該ユーザに関連付けられている情報の送信要求を、前記外部サービスサーバと前記ユーザ情報管理サーバとに送信するステップをさらに含む、請求項１〜５のいずれか一項に記載の方法。
【請求項７】
前記複数のユーザのいずれかのユーザに関する情報の表示要求を受信するステップをさらに含み、
前記外部情報の要求を送信するステップは、前記表示要求を受信したことに基づいて、当該要求を送信するステップを含む、請求項１に記載の方法。
【請求項８】
前記複数のユーザのいずれかのユーザに関する情報の表示要求を受信するステップをさらに含み、
前記内部情報の要求を送信するステップは、前記表示要求を受信したことに基づいて、当該要求を送信するステップを含む、請求項１に記載の方法。
【請求項９】
前記いずれかのユーザに関する情報の表示要求を受信するステップは、当該ユーザのログイン情報を受信することを含む、請求項７または８に記載の方法。
【請求項１０】
前記複数のユーザが存在し得るスペースに配置された環境情報検出センサから出力される環境情報を受信するステップをさらに含み、
前記マップ情報に関連付けるステップは、前記環境情報を前記マップ情報に関連付けるステップを含む、請求項１に記載の方法。
【請求項１１】
前記マップ情報に関連付けられている情報を、前記コンピュータに接続されている一つ以上の端末装置に送信するステップをさらに含む、請求項１〜１０のいずれかに記載の方法。
【請求項１２】
前記複数のユーザのうちの第１のユーザによって更新された外部情報を、当該第１のユーザの端末装置から受信するステップと、
前記第１のユーザに関連付けられている第２のユーザの端末装置に、前記第１のユーザの外部情報が変更されたことを通知するステップとをさらに含む、請求項１〜１１のいずれかに記載の方法。
【請求項１３】
前記複数のユーザのうちの第１のユーザによって更新された内部情報を、当該第１のユーザの端末装置から受信するステップと、
前記第１のユーザに関連付けられている第２のユーザの端末装置に、前記第１のユーザの内部情報が変更されたことを通知するステップとをさらに含む、請求項１〜１２のいずれかに記載の方法。
【請求項１４】
請求項１〜１３のいずれかに記載の方法をコンピュータに実行させるためのプログラム。
【請求項１５】
請求項１４に記載のプログラムを格納したメモリと、
前記プログラムを実行するためのプロセッサとを備える、情報管理装置。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
商品登録装置で登録された商品の精算情報を用いた精算処理を行う情報処理装置であって、自装置に対して設けられた表示灯装置の点灯状態を制御する表示灯制御手段を備え、
前記表示灯制御手段は、前記自装置が前記精算情報を受信してから、顧客による前記自装置での所定操作を検出するまでの継続時間を計測し、前記継続時間に基づいて、前記表示灯装置の点灯状態を制御する、
情報処理装置。
【請求項２】
顧客が持つ可搬媒体を読み取る読取手段を更に有し、
前記所定操作は、前記読取手段に前記可搬媒体を読み取らせることである、
請求項１に記載の情報処理装置。
【請求項３】
前記所定操作は、代金の支払い方法を選択する操作である、
請求項１に記載の情報処理装置。
【請求項４】
前記所定操作は、前記精算処理の完了を示す操作である、
請求項１に記載の情報処理装置。
【請求項５】
前記精算処理が完了したことを示す完了情報を取得する取得手段と、
前記完了情報を取得した場合、次に精算処理を実行すべき精算情報である第二精算情報を自装置が有しているか否かを判定する判定手段と、
を更に有し、
前記表示灯制御手段は、前記判定手段の判定結果に基づいて、前記表示灯装置の点灯状態を制御する、
請求項１から４のいずれか１項に記載の情報処理装置。
【請求項６】
前記継続時間を管理する継続時間管理手段を更に有する、
請求項１から５のいずれか１項に記載の情報処理装置。
【請求項７】
商品登録装置で登録された商品の精算情報を用いた精算処理を行う情報処理装置が、
前記精算情報を受信してから、顧客による自装置での所定操作を検出するまでの継続時間を計測し、前記継続時間に基づいて、前記自装置に対して設けられた表示灯装置の点灯状態を制御することを含む情報処理方法。
【請求項８】
商品登録装置で登録された商品の精算情報を用いた精算処理を行う情報処理装置を、
前記精算情報を受信してから、顧客による自装置での所定操作を検出するまでの継続時間を計測し、前記継続時間に基づいて、前記自装置に対して設けられた表示灯装置の点灯状態を制御する表示灯制御手段として機能させるためのプログラム。
【手続補正２】
【補正対象書類名】明細書
【補正対象項目名】０００８
【補正方法】変更
【補正の内容】
【０００８】
本発明によれば、
商品登録装置で登録された商品の精算情報を用いた精算処理を行う情報処理装置であって、自装置に対して設けられた表示灯装置の点灯状態を制御する表示灯制御手段を備え、
前記表示灯制御手段は、前記自装置が前記精算情報を受信してから、顧客による前記自装置での所定操作を検出するまでの継続時間を計測し、前記継続時間に基づいて、前記表示灯装置の点灯状態を制御する、情報処理装置が提供される。
【手続補正３】
【補正対象書類名】明細書
【補正対象項目名】０００９
【補正方法】変更
【補正の内容】
【０００９】
本発明によれば、
商品登録装置で登録された商品の精算情報を用いた精算処理を行う情報処理装置が、
前記精算情報を受信してから、顧客による自装置での所定操作を検出するまでの継続時間を計測し、前記継続時間に基づいて、前記自装置に対して設けられた表示灯装置の点灯状態を制御することを含む情報処理方法が提供される。
【手続補正４】
【補正対象書類名】明細書
【補正対象項目名】００１０
【補正方法】変更
【補正の内容】
【００１０】
本発明によれば、
コンピュータを、
商品登録装置で登録された商品の精算情報を用いた精算処理を行う情報処理装置を、
前記精算情報を受信してから、顧客による自装置での所定操作を検出するまでの継続時間を計測し、前記継続時間に基づいて、前記自装置に対して設けられた表示灯装置の点灯状態を制御する表示灯制御手段として機能させるためのプログラムが提供される。